(57)【要約】【課題】建物を構築する場合に、構造を単純化して軽量化を図り、コストダウンすることができるユニット構造を提供する。【解決手段】ユニット構造５は、１本の柱と、柱の連結される１本の下部ばりから成る複数のＬ型の構成要素１３０，１３１と、複数のＬ型の構成要素１３０，１３１を連結する連結ばり１２３，１２４とを有するＬ型の建物ユニット１１０と、複数の柱１１と、複数の柱１１を連結するための下部ばり１２から成り、Ｌ型の構成要素１３０，１３１に連結される複数のＵ型の構成要素３０，３１と、複数のＵ型の構成要素３０，３１を連結する連結ばり２３，２４とを有するＵ型の建物ユニット１０と、から構成されている。【選択図】図４
2015086601.tif 000002
【特許請求の範囲】
【請求項１】
建物を構成するユニット構造であって、
１本の柱と、前記柱の連結される１本の下部ばりから成る複数のＬ型の構成要素と、複数の前記Ｌ型の構成要素を連結する連結ばりと、を有するＬ型の建物ユニットと、
複数の柱と、前記複数の柱を連結するための下部ばりから成り前記Ｌ型の構成要素に連結される複数のＵ型の構成要素と、複数の前記Ｕ型の構成要素を連結する連結ばりと、を有するＵ型の建物ユニットと、
を有することを特徴とするユニット構造。
【請求項２】
前記Ｌ型の構成要素の前記柱と前記下部ばりを連結するための仮設用の部材と、
前記Ｕ型の構成要素の前記複数の柱の上端部を連結するための仮設用の部材を有していることを特徴とする請求項１に記載のユニット構造。
【発明の詳細な説明】
【技術分野】
【０００１】
本発明は、集合住宅、ホテル、事務所等の建物を構築するのに好適に用いることができるユニット構造に関する。
【背景技術】
【０００２】
近年、集合住宅、ホテル、事務所等の建物（建築物）を構築するために、建物のユニット化の開発とその実用化が進んでいる。この建物ユニット化とは、構築しようとする建物を、予め複数の単位に区分けして設計して製造しておくことをいう。
【０００３】
複数の建物ユニットのほぼ完成品は、予め製造工場で個別に製造しておいて、複数の建物ユニットをトレーラ等で施工現場まで運搬する。そして、これらの建物ユニットは、施工現場においてクレーン等の吊り上げ用の重機を使用して、水平方向の配置し上下方向に重ね合わせて締結することで、例えば１階建てあるいは２階建て以上の階層の建物を構築することができる。
【０００４】
この種の建物ユニットは、特許文献１に開示されている。特許文献１に記載の図１０に示すように、２本の柱と下部ばりと上部ばりを有する建物ユニットが示されており、複数の建物ユニットを水平方向に配置し上下方向に重ね合せることで建物を構築している。複数の建物を上下方向に位置合わせして重ね合せるために、下の階の柱の上端接合プレートには、ガイド部材が立てて設けられ、上の階の柱の下端接合プレートには、このガイド部材を入れるガイド孔が設けられている。これにより、上下の建物ユニットの接合時の位置決めを容易に行うとともに、接合作業を特別な工具を用いないで短時間に行うことができる。このように接合作業を行うことで、複数の建物ユニットが締結され、２階建て以上の階層の建物を構築することができる。
【先行技術文献】
【特許文献】
【０００５】
【特許文献１】特開２００５−９８０７８号公報
【発明の概要】
【発明が解決しようとする課題】
【０００６】
ところが、上述した特許文献１に記載の建物ユニットを用いると、左右に隣接する建物ユニットの柱同士が重ねて配置され、しかも上下に隣接する建物ユニットのはり同士が重ねて配置されてしまう。従って、複数の建物ユニットを用いて構築された建物は、高価であり、重量が大きく構造が複雑であり、複数の建物ユニットの締結作業が面倒である。
【０００７】
本発明は、上記に鑑みてなされたもので、その目的とするところは、建物を構築する場合に、構造を単純化して軽量化を図り、コストダウンすることができるユニット構造を提供することにある。
【課題を解決するための手段】
【０００８】
上記課題を達成するため、請求項１に記載のユニット構造は、建物を構成するユニット構造であって、１本の柱と、前記柱の連結される１本の下部ばりから成る複数のＬ型の構成要素と、複数の前記Ｌ型の構成要素を連結する連結ばりと、を有するＬ型の建物ユニットと、複数の柱と、前記複数の柱を連結するための下部ばりから成り前記Ｌ型の構成要素に連結される複数のＵ型の構成要素と、複数の前記Ｕ型の構成要素を連結する連結ばりと、を有するＵ型の建物ユニットと、から構成されていることを特徴とする。
【０００９】
請求項１に記載のユニット構造では、Ｌ型の建物ユニットとＵ型の建物ユニットを用いて建物を構築するので、複数の柱と上部ばりと下部ばりを有する建物ユニットだけを用いて建物を構築する場合に比べて、構造を単純化して軽量化を図り、コストダウンすることができる。
【００１０】
請求項２に記載のユニット構造は、前記Ｌ型の構成要素の前記柱と前記下部ばりを連結するための仮設用の部材と、前記Ｕ型の構成要素の前記複数の柱の上端部を連結するための仮設用の部材を有していることを特徴とする。
【００１１】
請求項２に記載のユニット構造では、Ｕ型の構成要素とＬ型の構成要素は、部材を省略している構造であるのにもかかわらず、仮設用の部材を設けているので、Ｕ型の建物ユニットとＬ型の建物ユニットは、建物ユニットの製造工場からＵ型の建物ユニットとＬ型の建物ユニットを施工するための施工現場まで運搬装置で運搬しても、運搬時の振動等によりＵ型の建物ユニットとＬ型の建物ユニットの変形が生じない。このため、建物ユニットは施工現場で形状の手直しをする必要が無いので、施工作業が容易に行える。
【発明の効果】
【００１２】
本発明によれば、建物を構築する場合に、構造を単純化して軽量化を図り、コストダウンすることができるユニット構造を提供できる。
【図面の簡単な説明】
【００１３】
【図１】本発明のユニット構造の実施形態により構築された建物の軸組みの例を示す側面図である。
【図２】図１における建物を一部省略して示す正面図である。
【図３】図２に示す１階部分の建物ユニットと２階部分の建物ユニットとそして４階部分の建物ユニットを示す図である。
【図４】図２に示す１階部分の建物ユニットと２階部分の建物ユニットとそして４階部分の建物ユニットを示す分解斜視図である。
【発明を実施するための形態】
【００１４】
以下、図面を用いて、本発明を実施するための形態(以下、実施形態と称する)を説明する。
【００１５】
図１は、本発明のユニット構造の実施形態により構築された建物の好ましい例を示す側面図である。図２は、図１における建物を一部省略して示す正面図である。
【００１６】
図１と図２に示す本発明のユニット構造の実施形態が適用できる建物の主要用途としては、例えば集会場、介護老人健康施設、ホテル、共同住宅、学校、店舗、事務所等であるが、建物ユニットにより構築される建物の用途は、特に限定されない。
【００１７】
図１と図２は、建物１の鉄骨の軸組を示しており、建物１は一例として４階建の建物である。図１は、建物１の１階部分１ＦＬから４階部分４ＦＬを示している。図２では、建物１は、複数の建物ユニットを組み合わせて建物１を構成するためのユニット構造５を有している。このユニット構造５は、複数のＵ型の建物ユニット１０と、複数のＬ型の建物ユニット１１０と、建物ユニット５０，１５０を有している。
【００１８】
図２に示すように、建物１のユニット構造５は、建物１の１階部分１ＦＬを構成する２つのＬ型の建物ユニット１１０と１つのＵ型の建物ユニット１０と、建物１の２階部分２ＦＬを構成する２つのＬ型の建物ユニット１１０と１つのＵ型の建物ユニット１０と、建物１の３階部分３ＦＬを構成する２つのＬ型の建物ユニット１１０の一部分と１つのＵ型の建物ユニット１０の一部分と、建物１の４階部分４ＦＬを構成する１つの建物ユニット５０の一部分と２つの建物ユニット１５０の一部分を示している。
【００１９】
図２に示すように、建物１の１階部分１ＦＬは、２つのＬ型の建物ユニット１１０の間にＵ型の建物ユニット１０を締結することで構成されている。建物１の２階部分２ＦＬは、２つのＬ型の建物ユニット１１０の間にＵ型の建物ユニット１０を締結することで構成されている。同様にして、建物１の３階部分３ＦＬは、２つのＬ型の建物ユニット１１０の間にＵ型の建物ユニット１０を締結することで構成されている。建物１の４階部分４ＦＬは、２つの建物ユニット１５０の間に、別の構造の建物ユニット５０を締結することで構成されている。
【００２０】
図２に示す一例の建物１では、２つのＬ型の建物ユニット１１０の間にＵ型の建物ユニット１０を水平方向に並べて配置し、しかも垂直方向に積み上げて締結することで、１階部分１ＦＬ、２階部分２ＦＬ、そして３階部分３ＦＬを構成している。そして、２つの２の建物ユニット１５０の間に建物ユニット５０を水平方向に並べて配置し、３階部分３ＦＬの上にさらに積み上げて締結することで、最上階である４階部分４ＦＬを構成している。
【００２１】
１階部分１ＦＬ、２階部分２ＦＬ、そして３階部分３ＦＬの２つのＬ型の建物ユニット１１０とＵ型の建物ユニット１０の構造は実質的に同じである。左側のＬ型の建物ユニット１１０と右側の建物ユニット１１０を使用している向きは、左右逆になっている。しかし、最上階の４階部分４ＦＬの建物ユニット１５０，５０，１５０の構造は、１階部分１ＦＬ、２階部分２ＦＬ、そして３階部分３ＦＬの２つのＬ型の建物ユニット１１０とＵ型の建物ユニット１０の構造とは異なる。左側の建物ユニット１５０と右側の建物ユニット１５０を使用している向きは、左右逆になっている。
【００２２】
図３は、１階部分１ＦＬと、２階部分２ＦＬと、４階部分４ＦＬを示しているが、３階部分３ＦＬの構造は、２階部分２ＦＬの構造と同じであるので、図３では、３階部分３ＦＬの構造の図示を省略している。しかも、図３では、図２に示す最も右側に位置している１階部分１ＦＬと２階部分２ＦＬのＬ型の建物ユニット１１０と、４階部分４ＦＬの建物ユニット１５０の図示は省略している。
【００２３】
図４は、１階部分１ＦＬと、２階部分２ＦＬと、４階部分４ＦＬを示す分解斜視図であるが、３階部分３ＦＬの構造は、２階部分２ＦＬの構造と同じであるので、図４では、３階部分３ＦＬの構造の図示を省略している。しかも、図４では、図２に示す最も右側に位置しているＬ型の建物ユニット１１０と、建物ユニット１５０の図示は省略している。
【００２４】
次に、図２から図４を参照して、上述した２つのＬ型の建物ユニット１１０とＵ型の建物ユニット１０の構造と、建物ユニット５０と建物ユニット１５０の構造を順番に説明する。
【００２５】
まず、図２ないし図４を参照して、Ｌ型の建物ユニット１１０とＵ型の建物ユニット１０の構造を説明する。
【００２６】
図２に示すように、１階部分１ＦＬは、鉄骨製の２つのＬ型の建物ユニット１１０と１つのＵ型の鉄骨ユニット１０により構成されている。すなわち、１階部分１ＦＬは、左側に位置されるＬ型の建物ユニット１１０と、中央に位置されるＵ型の建物ユニット１０と、右側に位置されるＬ型の建物ユニット１１０を締結することで構成されている。
【００２７】
先に、１階部分１ＦＬのＵ型の建物ユニット１０の構造を説明する。図４に示すように、Ｕ型の建物ユニット１０は、１組の２本の柱１１，１１と下部ばり１２と、もう１組の２本の柱２１，２１と下部ばり２２と、２本の連結用のはり２３，２４と、複数の子ばり２５から構成されている。図２に示すように、２本の柱１１，１１の下端部と下部ばり１２の両端部は、ガセットプレート５５を用いてボルトとナット、溶接等により連結されている。各Ｕ型の建物ユニット１０では、天井ばり（上部ばり）に相当する鉄骨のはりが無い構造となっている。
【００２８】
これにより、図４に示すように、１組の２本の柱１１，１１と下部ばり１２は、ほぼＵ型の構成要素３０を構成し、もう１組の２本の柱２１，２１と下部ばり２２も、ほぼＵ型の構成要素３１を構成している。図１と図４に示すように、Ｕ型の構成要素３０とＵ型の構成要素３１は、２本の連結用のはり２３，２４を用いて所定のスパンをおいて平行に連結されている。
【００２９】
このため、Ｕ型の建物ユニット１０の構造は、天井ばり（上部ばり）を有する通常の建物ユニットの構造に比べて、各建物ユニット１０の構成部材を減らすことができ、建物ユニット１０の重量を軽くすることができる。各建物ユニット１０は、予め製造工場において組み立てて製造される。
【００３０】
上述したように、Ｕ型の構成要素３０とＵ型の構成要素３１には、上部ばりが設けられていない。すなわち、Ｕ型の構成要素３０の２本の柱１１，１１の間には上部ばりが設けられておらず、しかもＵ型の構成要素３１の２本の柱２１，２１の間にも上部ばりが設けられていない。このことから、各Ｕ型の建物ユニット１０を、トレーラ等の運搬装置を用いて、製造工場から建物１を施工しようとする施工現場まで運搬する際に、振動等の影響により変形しないように補強するために、図２から図４に示すように、各Ｕ型の建物ユニット１０には、次に説明する仮設用の部材が設けられている。
【００３１】
図２から図４に示す仮設用の部材３３，３４，３５，３６は、柱１１，２１や下部ばり１２，２２よりも細い鉄骨である。
【００３２】
これらの仮設用の部材３３，３４，３５，３６は、予め製造工場において取り付けられる。仮設用の部材３３は、柱１１，１１の上端部を接続する。仮設用の部材３５は、連結用のはり２３，２４の中央位置において、柱１１，２１に平行になるように立てて取り付けられる。仮設用の部材３４は、仮設用の部材３５，３５の上端部の間に水平に取り付けられる。仮設用の部材３６は、柱１１と仮設用の部材３５の上端部間に水平に取り付けられ、柱２１と仮設用の部材３５の上端部間に水平に取り付けられる。
【００３３】
これにより、製造工場で組み立てて製造されたＵ型の建物ユニット１０を、運搬装置により運搬する際に、Ｕ型の建物ユニット１０が振動等の影響により変形するのを防止でき、Ｕ型の建物ユニット１０の形状を維持することができる。上部ばりが設定されていないＵ型の建物ユニット１０の形状を維持することができることにより、Ｕ型の建物ユニット１０を施工現場で形状の補正をする必要が無くなるので、施工現場での施工作業が容易になる。
【００３４】
図３と図４に示すように、柱１１，２１は、それぞれ上端部に締結用のベースプレート４０を有し、下端部には２つの締結用のダイアフラム４１を有している。
【００３５】
次に、図４に示す２階部分２ＦＬの各Ｕ型の建物ユニット１０は、１階部分１ＦＬの各Ｕ型の建物ユニット１０と実質的に同じで構造であるので、同じ箇所には同じ符号を記して説明を省略する。ただし、２階部分２ＦＬの各Ｕ型の建物ユニット１０の２本の下部ばり１２Ａ，２２Ａは、１階部分１ＦＬの各Ｕ型の建物ユニット１０の２本の下部ばり１２，２２に比べて太くなっていて、より大きい強度を確保している。２階部分２ＦＬの各Ｕ型の建物ユニット１０の２本の連結用のはり２３Ａ，２４Ａは、１階部分１ＦＬの各Ｕ型の建物ユニット１０の２本の連結用のはり２３，２４に比べて太くなっていて、より大きい強度を確保している。また、３階部分３ＦＬの各Ｕ型の建物ユニット１０は、２階部分２ＦＬの各Ｕ型の建物ユニット１０と実質的に同じであるので、同じ箇所には同じ符号を記して説明を省略する。
【００３６】
次に、図２ないし図４を参照して、Ｌ型の建物ユニット１１０の構造を説明する。
【００３７】
Ｌ型の建物ユニット１１０の構造は、Ｕ型の建物ユニット１０の構造からさらに柱を省略している。すなわち、Ｌ型の建物ユニット１１０は、１組の１本の柱１１１と下部ばり１１２と、もう１組の１本の柱１２１と下部ばり１２２と、２本の連結用のはり１２３，１２４と、複数の子ばり１２５から構成されている。図２に示すように、１本の柱１１１の下端部と下部ばり１１２の一端部は、ガセットプレート１５５を用いてボルトとナット、溶接等により連結されている。各Ｌ型の建物ユニット１１０では、天井ばり（上部ばり）と１本の柱が無い構造となっている。
【００３８】
これにより、図４に示すように、１組の１本の柱１１１と下部ばり１１２は、Ｌ型の構成要素１３０を構成し、もう１組の１本の柱１２１と下部ばり１２２も、Ｌ型の構成要素１３１を構成している。図１と図４に示すように、Ｌ型の構成要素１３０とＬ型の構成要素１３１は、２本の連結用のはり１２３，１２４を用いて所定のスパンをおいて平行に連結されている。
【００３９】
このため、Ｌ型の建物ユニット１１０の構造は、天井ばり（上部ばり）と４本の柱を有する通常の建物ユニットの構造に比べて、各Ｌ型の建物ユニット１１０の構成部材を減らすことができ、Ｌ型の建物ユニット１１０の重量を軽くすることができる。各Ｌ型の建物ユニット１１０は、予め製造工場において組み立てて製造される。
【００４０】
上述したように、Ｌ型の構成要素１３０とＬ型の構成要素１３１には、上部ばりと１本の柱が設けられていない。このことから、各Ｌ型の建物ユニット１１０を、トレーラ等の運搬装置を用いて、製造工場から建物１を施工しようとする施工現場まで運搬する際に、振動等の影響により変形しないように補強するために、図２から図４に示すように、各Ｌ型の建物ユニット１１０には、次に説明する仮設用の部材が設けられている。
【００４１】
図２から図４に示す仮設用の部材は、柱１１１，１２１や下部ばり１１２，１２２よりも細い鉄骨であり、仮設用の部材は、図４に例示するように、仮設用の部材１３３，１３４，１３５，１３６，１３７である。これらの仮設用の部材１３３，１３４，１３５，１３６，１３７は、予め製造工場において取り付けられる。
【００４２】
これにより、製造工場で組み立てて製造されたＬ型の建物ユニット１１０を、運搬装置により運搬する際に、Ｌ型の建物ユニット１１０が振動等の影響により変形するのを防止でき、Ｌ型の建物ユニット１１０の形状を維持することができる。上部ばりと１本の柱が設定されていないＬ型の建物ユニット１１０の形状を維持することができることにより、Ｌ型の建物ユニット１１０を施工現場で形状の補正をする必要が無くなるので、施工現場での施工作業が容易になる。
【００４３】
図３と図４に示すように、柱１１１は、それぞれ上端部に締結用のベースプレート１４０を有し、下端部には２つの締結用のダイアフラム１４１を有している。
【００４４】
次に、図４に示す２階部分２ＦＬの各Ｌ型の建物ユニット１１０は、１階部分１ＦＬの各Ｌ型の建物ユニット１１０と実質的に同じで構造であるので、同じ箇所には同じ符号を記して説明を省略する。ただし、２階部分２ＦＬの各Ｌ型の建物ユニット１１０の２本の下部ばり１１２Ａ，１２２Ａは、１階部分１ＦＬの各Ｌ型の建物ユニット１１０の２本の下部ばり１２，２２に比べて太くなっていて、より大きい強度を確保している。２階部分２ＦＬの各Ｌ型の建物ユニット１１０の２本の連結用のはり１２３Ａ，１２４Ａは、１階部分１ＦＬの各Ｌ型の建物ユニット１０の２本の連結用のはり１２３，１２４に比べて太くなっていて、より大きい強度を確保している。また、３階部分３ＦＬの各Ｌ型の建物ユニット１１０は、２階部分２ＦＬの各Ｌ型の建物ユニット１１０と実質的に同じであるので、同じ箇所には同じ符号を記して説明を省略する。
【００４５】
次に、最上階である４階部分４ＦＬの建物ユニット５０，１５０の構造を説明する。
【００４６】
図４に示すように、４階部分４ＦＬは、鉄骨製の左右の建物ユニット１５０と１つの中央の建物ユニット５０により構成されている。建物ユニット５０は、１組の２本の柱５１，５１と、下部ばり５２と、天井ばり（上部ばり）５３と、もう１組の２本の柱５１，５１と、下部ばり５２と、天井ばり（上部ばり）５３と、４本の連結用のはり６３，６４，６５，６６と、複数の子ばり６７，６８から構成されている。柱５１の上下端部は、ダイアフラム９０を有している。
【００４７】
図３に示すように、２本の柱５１，５１の下端部と下部ばり５２の両端部は、ガセットプレート７０を用いてボルトとナット、溶接等により連結されている。また、２本の柱５１，５１の上端部と上部ばり５３の両端部は、ガセットプレート７０を用いてボルトとナット、溶接等により連結されている。
【００４８】
左右の建物ユニット１５０は、１組の１本の柱１５１と、下部ばり１５２と、天井ばり（上部ばり）１５３と、もう１組の１本の柱１５１と、下部ばり１５２と、天井ばり（上部ばり）１５３と、４本の連結用のはり１６３，１６４，１６５，１６６と、複数の子ばり１６７，仮設用のはり１６８，１６９から構成されている。柱１５１の上下端部は、ダイアフラム１９０を有している。
【００４９】
図３に示すように、１本の柱１５１の下端部と下部ばり１５２の両端部は、ガセットプレート１７０を用いてボルトとナット、溶接等により連結されている。また、１本の柱１５１の上端部と上部ばり１５３の両端部は、ガセットプレート１７０を用いてボルトとナット、溶接等により連結されている。
【００５０】
次に、図４を参照して、Ｕ型の建物ユニット１０とＬ型の建物ユニット１１０と、建物ユニット５０，１５０を、施工現場において連結することで、建物１を構築する施工例を説明する。
【００５１】
図４に示すように、複数のＵ型の建物ユニット１０と、Ｌ型の建物ユニット１１０と、建物ユニット５０，１５０は、製造工場で予め製造される。そして、これらの複数のＵ型の建物ユニット１０と、Ｌ型の建物ユニット１１０と、建物ユニット５０，１５０は、図１と図２に示す建物１を施工現場で構築するために、図示しないトレーラのような運搬装置により、製造工場から施工現場に運搬される。
【００５２】
図２に例示するように、１階部分１ＦＬは、２つのＬ型の建物ユニット１１０と１つのＵ型の建物ユニット１０を水平方向に並べて配置することで構成され、２つのＬ型の建物ユニット１１０の間に１つのＵ型の建物ユニット１０が配置される。図３に示すように、Ｕ型の建物ユニット１０の下部ばり１２の両端部には、わずかに延長部分１２Ｔが形成されている。Ｕ型の建物ユニット１０の下部ばり１２の延長部分１２Ｔは、対応するＬ型の建物ユニット１０の下部ばり１１２の開放端部１１２Ｋに対して、図２に示すようにガセットプレート５５Ｔを用いて、ボルトナット、溶接等を用いて締結される。これにより、図２に示すように１階部分１ＦＬの柱１１１，１１，１１，１１１は、所定の間隔をおいて平行に配置される。
【００５３】
次に、図２に示すように、２階部分２ＦＬが１階部分１ＦＬの上に置かれて締結される。すなわち、２階部分２ＦＬは、１階部分１ＦＬと同様に、２つのＬ型の建物ユニット１１０と１つのＵ型の建物ユニット１０を水平方向に並べて配置することで構成され、２つのＬ型の建物ユニット１１０の間に１つのＵ型の建物ユニット１０が配置され締結される。この締結を行う場合に、図３に示す下側の柱１１の上部のベースプレート４０の上に、上側の柱１１の下部のダイアフラム４１が重ねて置かれ、ボルトナット、溶接等を用いて締結される。しかも、図３に示す下側の柱１１１の上部のベースプレート１４０の上に、上側の柱１１１の下部のダイアフラム１４１が重ねて置かれ、ボルトナット、溶接等を用いて締結される。
【００５４】
そして、図３に示す２階部分２ＦＬのＵ型の建物ユニット１０の下部ばり１２の延長部分１２Ｔは、対応するＬ型の建物ユニット１０の下部ばり１１２の開放端部１１２Ｋに対して、ガセットプレート５５Ｔを用いて、ボルトナット、溶接等を用いて締結される。これにより、図２に示すように２階部分２ＦＬの柱１１１，１１，１１，１１１は、所定の間隔をおいて平行に配置される。
【００５５】
さらに、同様にして、図２に示すように、３階部分３ＦＬが２階部分２ＦＬの上に置かれて締結される。すなわち、３階部分３ＦＬは、２階部分２ＦＬと同様に、２つのＬ型の建物ユニット１１０と１つのＵ型の建物ユニット１０を水平方向に並べて配置することで構成され、２つのＬ型の建物ユニット１１０の間に１つのＵ型の建物ユニット１０が配置される。この締結を行う場合には、下側の柱１１の上部のベースプレート４０の上に、上側の柱１１の下部のダイアフラム４１が重ねて置かれ、ボルトナット、溶接等を用いて締結される。しかも、下側の柱１１１の上部のベースプレート１４０の上に、上側の柱１１１の下部のダイアフラム１４１が重ねて置かれ、ボルトナット、溶接等を用いて締結される。
【００５６】
このようにして、１階部分１ＦＬから３階部分３ＦＬまで構築された後に、３階部分３ＦＬの上には、さらに最上階部分である４階部分ＦＬを構成する。図３に示す４階部分４ＦＬを構成する２つの建物ユニット１５０と１つの建物ユニット５０が、図２に示すように３階部分３ＦＬを構成する建物ユニット１１０，１０，１１０の上に重ねて置かれて締結される。図３に示すように建物ユニット５０の下部ばり５２は延長部分５２Ｔを有し、この延長部分５２Ｔは、建物ユニット１５０の下部ばり１５２の端部１５２Ｋに対して、ガセットプレートとボルトナット、溶接等を用いて連結される。
【００５７】
そして、下側の柱１１の上部のベースプレート４０の上に、上側の柱５１の下部のダイアフラム９０が重ねて置かれ、ボルトナット、溶接等を用いて締結される。しかも、下側の柱１１１の上部のベースプレート１４０の上に、上側の柱１５１の下部のダイアフラム１９０が重ねて置かれ、ボルトナット、溶接等を用いて締結される。
【００５８】
以上のようにして、製造工場で予め製造された複数のＵ型の建物ユニット１０とＬ型の建物ユニット１１０と、複数の建物ユニット５０，１５０を施工現場に運搬した後に組み合わせて締結することにより、施工現場において図１と図２に示す建物１を、簡単に構築することができる。
【００５９】
ところで、本発明の実施形態のＵ型の建物ユニット１０を用いて建物１を構築する際に、図４に示すように、Ｕ型の建物ユニット１０のＵ型の構成要素３０，３１は、通常のユニット工法と比較して、天井側の上部ばりを無くす構造を採用している。これにより、図２と図３に示すように、Ｕ型の建物ユニット１０をＵ型の建物ユニット１０の上に積み上げて構成すると、上側の階部分の床ばり（下部ばり）と下側の階部分の天井ばり（上部ばり）は、はり１２Ａ，２２Ａ，２３Ａ，２４Ａにより共有して使用するようになっている。例えば、１階部分１ＦＬの上部ばりと２階部分２ＦＬの下部ばりは、図４に示す２階部分２ＦＬのはり１２Ａ，２２Ａ，２３Ａ，２４Ａにより兼用して共有使用することができる。このため、建物１を構成する構成部材の本数を減らして、構造の簡単化と重量の軽減と、コストダウンを図ることができる。
【００６０】
また、図４に示すように、１階部分１ＦＬから３階部分３ＦＬにおいて、Ｕ型の建物ユニット１０とＬ型の建物ユニット１１０を横に並べて組み合わせると、図２に示すように、Ｕ型の建物ユニット１０とＬ型の建物ユニット１１０の間では、柱１１を共有使用することができる。このため、建物１を構成する構成部材の本数を減らして、構造の簡単化と重量の軽減と、コストダウンを図ることができる。
【００６１】
さらに、図４に示すＬ型の建物ユニット１１０のＬ型の構成要素１３０，１３１は、通常のユニット工法と比較して、天井側の１本の上部ばりと１本の柱を無くす構造を採用している。これにより、図２と図３に示すように、Ｌ型の建物ユニット１１０をＬ型の建物ユニット１１０の上に積み上げて構成すると、上側の階部分の床ばり（下部ばり）と下側の階部分の天井ばり（上部ばり）は、はり１１２Ａ，１２２Ａ，１２３Ａ，１２４Ａにより共有して使用するようになっている。例えば、１階部分１ＦＬの上部ばりと２階部分２ＦＬの下部ばりは、図４に示す２階部分２ＦＬのはり１１２Ａ，１２２Ａ，１２３Ａ，１２４Ａにより兼用して共有使用することができる。このため、建物１を構成する構成部材の本数を減らして、構造の簡単化と重量の軽減と、コストダウンを図ることができる。
【００６２】
さらに、３階部分３ＦＬの複数の建物ユニット１０，１１０上に、４階部分４ＦＬを構成する建物ユニット５０，１５０をそれぞれ載せて締結すると、４階部分４ＦＬの下部ばりと３階部分３ＦＬの上部ばり（天井ばり）は、図４に示す４階部分４ＦＬのはり５２，１５２，６３，６４、１６３，１６４により兼用して共有使用するようになっている。このため、建物１を構成する構成部材の本数を減らして、構造の簡単化と重量の軽減と、コストダウンを図ることができる。
【００６３】
なお、例えば、図４に示す１階部分１ＦＬから３階部分３ＦＬのＵ型の建物ユニット１０のはり１２，２２と連結ばり２３，２４には、選択的に例えばユニットバスや家具等を、予め製造工場で作り付けしておくことができる。あるいは、１階部分１ＦＬから３階部分３ＦＬのＬ型の建物ユニット１１０のはり１１２，１２２と連結ばり１２３，１２４には、選択的に例えばユニットバスや家具等を、予め製造工場で作り付けしておくことができる。これにより、建物の施工現場では、このようなユニットバスや家具等を現場で施工する必要が無くなるので、施工時の作業を簡素化することができ、施工費用のコストダウンを図ることができる。
【００６４】
天井の仕上げは、好ましくは各階のＵ型の建物ユニット１０の上部の仮設のはり３３，３４，３５，３６に対して予め製造工場内で取り付けて仕上げることができる。また、天井の仕上げは、好ましくは各階のＬ型の建物ユニット１１０の上部の仮設のはり１３３，１３４，１３５，１３６に対して予め製造工場内で取り付けて仕上げることができる。このため、１階部分１ＦＬから３階部分３ＦＬのそれぞれに天井を仕上げる場合には、仮設用の部材３３，３４，３６，１３３，１３４，１３５，１３６は取り外さないようにする。
【００６５】
なお、天井を仕上げない場合には、仮設用の部材３３，３４，３５，３６，１３３，１３４，１３５，１３６は、必要に応じて、各建物ユニット１０，１１０を水平方向と垂直方向に連結していく際に取り除くことができる。
【００６６】
Ｕ型の建物ユニット１０とＬ型の建物ユニット１１０は、上部ばり（天井ばり）を設けないので、従来上部ばりを設ける場合に比べて、１階部分１ＦＬから３階部分３ＦＬのそれぞれの天井高さをより高く確保することができる。
【００６７】
Ｌ型の建物ユニット１１０では、Ｕ型の建物ユニット１０や□型の建物ユニットに比べて、１本の柱の配置を省略することができるので、建物１の柱の本数が減少するために、鉄骨柱の使用の軽減と、アンカーボルトと基礎の設定の軽減が可能である。
【００６８】
建物の柱は、建物の端部または中央の位置で無くせないので、建物の端部または中央の位置には、Ｕ型の建物ユニットを使用する。Ｌ型の建物ユニットとＵ型の建物ユニットにより構成された建物は、少なくとも１階建てにすることができる。
【００６９】
本発明の実施形態のユニット構造５は、１本の柱と、柱の連結される１本の下部ばりから成る複数のＬ型の構成要素１３０，１３１と、複数のＬ型の構成要素１３０，１３１を連結する連結ばり１２３，１２４とを有するＬ型の建物ユニット１１０と、複数の柱１１と、複数の柱１１を連結するための下部ばり１２から成り、Ｌ型の構成要素１３０，１３１に連結される複数のＵ型の構成要素３０，３１と、複数のＵ型の構成要素３０，３１を連  する連結ばり２３，２４とを有するＵ型の建物ユニット１０と、から構成されている。
【００７０】
これにより、ユニット構造５は、Ｌ型の建物ユニット１１０とＵ型の建物ユニット１０を用いて建物を構築するので、複数の柱と上部ばりと下部ばりを有する建物ユニットだけを用いて建物を構築する場合に比べて、構造を単純化して軽量化を図り、コストダウンすることができる。
【００７１】
また、Ｌ型の構成要素の前記柱と前記下部ばりを連結するための仮設用の部材と、Ｕ型の構成要素の前記複数の柱の上端部を連結するための仮設用の部材を有している。これにより、Ｕ型の構成要素とＬ型の構成要素は、部材を省略している構造であるのにもかかわらず、仮設用の部材を設けているので、Ｕ型の建物ユニットとＬ型の建物ユニットは、建物ユニットの製造工場からＵ型の建物ユニットとＬ型の建物ユニットを施工するための施工現場まで運搬装置で運搬しても、運搬時の振動等によりＵ型の建物ユニットとＬ型の建物ユニットの変形が生じない。このため、建物ユニットは施工現場で形状の手直しをする必要が無いので、施工作業が容易に行える。
【００７２】
以上、実施形態を挙げて本発明を説明したが、各実施形態は一例であり、特許請求の範囲に記載される発明の範囲は、発明の要旨を逸脱しない範囲内で種々変更できるものである。
【００７３】
例えば、図３に示すように、Ｌ型の建物ユニット１０の柱１１１の下端部と、Ｕ型の建物ユニット１１の下端部に、破線で示すように延長部分８０を設けて、この延長部分８０にベースプレート８１を設けても良い。同様にして、建物ユニット５０，１５０の柱５１，１５１の下端部にも、破線で示すように延長部分１８０を設けて、この延長部分１８０にベースプレート１８１を設けても良い。これにより、１階部分１ＦＬから４階部分４ＦＬの床下には、例えば通信用のケーブルを配線するための空間をそれぞれ形成することができる。
【００７４】
また、本発明の実施形態では、任意の数の建物ユニット１０，１１０，５０，１５０を、水平方向に配置ししかも垂直方向にそれぞれ積み重ねて締結することで、任意の階数の建物を、施工現場において確実にしかも容易に構築できる。しかも、使用しなくなった建物は、必要に応じて元の各建物ユニット１０，１１０，５０，１５０に解体して区分けすることで、建物の解体が容易であり、建物ユニット１０，１１０，５０，１５０の再利用も可能である。
【００７５】
最上階として図４に示す建物ユニット５０，１５０を配置する代わりに、単に３階部分３ＦＬのＵ型の建物ユニット１０とＬ型の建物ユニット１１０の上には、「屋根ユニットとしてはりのみを固定するようにしても良く、この場合には３階建てになる。
【００７６】
図２に示す例では、１階部分から３階部分は、Ｌ型の建物ユニット１１０の間にＵ型の建物ユニット１０を配置して締結している。しかし、これに限らず、１階部分から３階部分は、例えば左側にＬ型の建物ユニット１１０を配置し、中央にＬ型の建物ユニット１１０を配置し、そして最も右側にはＵ型の建物ユニット１０を配置して締結することで、構成しても良い。
【符号の説明】
【００７７】
１      建物（建物）
５      ユニット構造
１０    Ｕ型の建物ユニット
３０    Ｕ型の構成要素
３１    Ｕ型の構成要素
３３，３４，３５，３６  仮設用の部材
１３３，１３４，１３５，１３６，１３７  仮設用の部材
５０，１５０    建物ユニット
１１０  Ｌ型の建物ユニット
１３０  Ｌ型の構成要素
１３１  Ｌ型の構成要素
【図１】
2015086601.tif 000003
【図２】
2015086601.tif 000004
【図３】
2015086601.tif 000005
【図４】
2015086601.tif 000006